(57)【特許請求の範囲】
【請求項１】
カード収納部を有するカードフォルダの一辺に、ループ状の紐の一部に面ファスナーのフック片が取り付けてあるネックストラップを、前記フック片をカードフォルダに隣接させて連結する作業と、ネックストラップを首に掛けてカードフォルダを首から提げる作業と、該面ファスナーのフック片を着衣に押し付けてフックと着衣の繊維を絡め、カードフォルダを着衣に仮留めする作業とを含むことを特徴とするカードフォルダ用ネックストラップの使用方法。
【発明の詳細な説明】
【技術分野】
【０００１】
本発明は、社員証のようなカード型の身分証を収容するカードフォルダを首から提げて表示するためのネックストラップの使用方法に関する。
【背景技術】
【０００２】
社員証などのＩＤカード（Ｉｄｅｎｔｉｆｉｃａｔｉｏｎ  ｃａｒｄ）を入れて首から提げるカードフォルダが広く使われている。透明な合成樹脂シートと不透明な合成樹脂シートを合わせて３辺を融着した片面が透明なタイプ、同様に透明な合成樹脂シート同士を合わせた両面が透明タイプが一般的である。残りの一辺をカードを出し入れする開口部とし、多くの場合、図４に示すようにその一辺にネックストラップ１を連結し、首から提げてＩＤカードを表示する。ネックストラップ１は肌触りの良い紐をループ状にしたもので、様々な色、デザインの物が作られている。
【０００３】
社員証などのＩＤカードは、元々は厚手の紙や合成樹脂シートに会社名、氏名や社員番号等を表記し、顔写真を貼った簡素な物であったが、時代とともに磁気ストライプを用いて情報の書き替えを可能にしたもの、バーコードを用いて非接触で認識を可能にしたものも使われるようになった。現在ではＩＣを内蔵して大量の情報を記録可能にしたＩＣカードや、ＩＣチップとアンテナを内蔵させて無線によりデータの書込みと読取りを可能にしたＲＦＩＤ（Ｒａｄｉｏ  Ｆｒｅｑｕｅｎｃｙ  Ｉｄｅｎｔｉｆｉｃａｔｉｏｎ；無線自動認識）カードも普及してきた。
【０００４】
図４に示すように、カードフォルダ２は、ネックストラップを首にかけて使用され、胸から腹部付近に吊り提げられる。オフィス等で椅子に座った仕事の場合は問題ないが、単に首から提げられているだけのため、歩くとぶらぶら揺れて危険である。歩行の際に周囲の人や物に引っ掛かったり、エレベーターや電車のドアに挟まれると怪我をしたり、場合によっては生死に関わることもある。
【０００５】
安全性の他にも、カードフォルダ２が固定されていないことによる不便さがある。例えば前かがみになって手を洗う場合、カードフォルダ２は体から離れて水道の蛇口から出る水の流路近くに垂れ下がり、水濡れする恐れがある。
また、カードフォルダ２が片面だけが透明なタイプである場合、裏返しになって不透明な面が現れているとＩＤカードの氏名も顔写真も見えなくなる不便さがある。両面が透明なタイプであっても、ＩＤカードには片面にしか氏名や顔写真が記載されていないことが殆どであり、ＩＤカードが裏返っていれば氏名も顔写真も視認できない。
【０００６】
そこで、クリップ付きのカードフォルダが使われている。これはネックストラップ１やカードフォルダ２にクリップ（不図示）を取り付けた物で、そのクリップでカードフォルダ２を胸ポケット等に留める仕組みである。歩行中も前傾姿勢をとった際にもぶらぶらすることがなく安全性が確保される。さらに、カードフォルダが裏返しになることがなく、常にＩＤカードの表側だけを見せることが可能になる。
【０００７】
クリップは、例えばジャケットやワイシャツのように胸ポケットがある衣類はポケットを利用して留めることができる。また、体の前面でボタンやファスナーを合わせる衣類では生地の合わせ目を利用して留めることも可能であるが、全ての衣類に対して有効ではない。例えばセーターのような編み物（ニット製品）の中にはポケットも合わせ目も無いものが多く、クリップを留める場所が無い。対策として、カードフォルダやネックストラップに安全ピンを設けたものがある。クリップに替え、安全ピンを用いてセーターに留める仕組みであるが、衣類にピンを刺した孔（痕跡）が残ったり、衣類に留めた状態でネックストラップが外力で引っ張られた場合には生地が破れたり、ちぎれる恐れがある。
【先行技術文献】
【特許文献】
【０００８】
【特許文献１】特開２００５−１７７０６４号公報
【発明の概要】
【発明が解決しようとする課題】
【０００９】
本発明は上記のような課題に鑑みなされたもので、胸ポケットのようなクリップを留める場所がないニット製衣料に対しても、生地を損傷させずにカードフォルダを留めることができるカードフォルダ用ネックストラップの使用方法を提供することを目的とする。
【課題を解決するための手段】
【００１０】
本発明は上記課題を解決すべく、以下に掲げる構成とした。
【００１１】
請求項１に記載の発明は、カード収納部を有するカードフォルダの一辺に、ループ状の紐の一部に面ファスナーのフック片が取り付けてあるネックストラップを、前記フック片をカードフォルダに隣接させて連結する作業と、ネックストラップを首に掛けてカードフォルダを首から提げる作業と、該面ファスナーのフック片を着衣に押し付けてフックと着衣の繊維を絡め、カードフォルダを着衣に仮留めする作業とを含むことを特徴とするカードフォルダ用ネックストラップの使用方法である。
【発明の効果】
【００１２】
本発明のカードフォルダ用ネックストラップの使用方法によれば、首から提げたネックストラップに面ファスナーのフック片を取り付けたことで、そのフックを利用してセーターのようなニット製品に留めることができる。体の前面にポケットや合わせ目が無い衣類であっても、ニット製品であれば編み目を利用することで留めることができる。中でもカードフォルダの隣接位置を留めることにより、カードフォルダが衣類、即ち、体から離れることがなくなるため、ぶらぶらしないことで安全性が向上する他、様々な作業のじゃまになることがない。手洗いのような前傾姿勢の際にも着衣に固定されていることで水濡れの心配もなくなる。また、ネックストラップに外力が加わった場合には、軽い力で面ファスナーのフックが衣類から外れるため、衣類に孔があく等の損傷も回避される。さらに、カードフォルダを落として紛失するリスクも低減される。
【図面の簡単な説明】
【００１３】
【図１】本発明で使用するカードフォルダ用ネックストラップの一形態を示す正面図および側面図。
【図２】本発明で使用するカードフォルダ用ネックストラップの一形態をカードフォルダに連結した状態を示す正面図と側面図。
【図３】本発明のカードフォルダ用ネックストラップの作用を示す側面図。
【図４】本発明のカードフォルダ用ネックストラップの使用例を示す説明図。
【図５】本発明で使用するカードフォルダ用ネックストラップの別の形態を示す正面図および側面図。
【発明を実施するための形態】
【００１４】
以下、本発明のカードフォルダ用ネックストラップの使用方法について詳細に説明する。図１に示すように本発明で使用するカードフォルダ用ネックストラップ１は、合成繊維あるいは天然繊維で作られた肌触りの良い紐３の端部を束ねてカシメ、ループ状にしたものである。（以下、カシメた部分はカシメ部３ｂと称す。）ネックストラップ１の一箇所には、面ファスナー１０のフック側であるフック片１１が取り付けてある。ネックストラップ１に対して面ファスナー１０はその基材部分を接着剤で付けても両面テープで貼り付けても、逢着しても良い。
【００１５】
図２にネックストラップ１をカードフォルダ２に連結した状態を示す。図２（ａ）は正面図、図２（ｂ）はそのｂ−ｂ線断面図である。カードフォルダ２は表面側になる透明樹脂シート２１と、裏面側になる不透明樹脂シート２２を合わせ、３辺を融着して袋状に形成したもので、内側が社員証などのＩＤカード５を入れるカード収納部２３となる。残余の一辺がカードを出し入れするための開口部２４である。開口部２４の上方は、カードフォルダ２の表面にあたる透明樹脂シート２１が延長されており、延長部分２５にはネックストラップ１を通して結ぶための長孔２６が形成されている。
【００１６】
このカードフォルダ用ネックストラップ１の使用方法として、先ず、カードフォルダ用ネックストラップ１とカードフォルダの連結作業を説明する。カードフォルダ用ネックストラップ１の先端３ａ（図１参照）をカードフォルダ２の長孔２６に通し、貫通した紐３で小さなループを形成する。続いてその小さなループにネックストラップ１のカシメ部３ｂ側をくぐらせて引っ張り、結び目４を作る。引っ張る加減を調整し、図２（ａ）、図２（ｂ）に示すようにフック片１１を結び目４に位置させる。同時にフック片１１がカードフォルダ２の裏面側、即ち不透明樹脂シート２２側に向いたことを確認する。この作業で面ファスナー１０のフック片１１がカードフォルダ２に隣接し、連結作業が完了する。
【００１７】
このカードフォルダ用ネックストラップ１は次のように使用する。図４はニット製のセーター３０を着用した状態を示す正面図である。同図に示すようにネックストラップ１を首３１に掛け、体の正面にカードフォルダ２を提げる。続いてＩＤカード５の表記面、即ちカードフォルダ２の表面側を体の前方に向け、ネックストラップ１の面ファスナー１０をセーター３０に押し付ける。すると、図３に示すように面ファスナー１０のフック片１１がセーター３０の繊維３０ａと絡まり、カードフォルダ２は結び目４とフック片１１を介してセーター３０に仮着される。
【００１８】
カードフォルダ２が仮着されると、首を支点にぶらついて人や物に引っ掛かることがなく安全性が向上する。カードフォルダ２はセーター３０に直接留められているのではなく、仮に、手や腕がぶつかって外力が加わっても、ネックストラップ１との接続部である長孔２６付近を支点として揺れて逃げるため、簡単に外れてしまうことはない。
【００１９】
また、カードフォルダ２のうち透明な面２１が常に露出するため、ＩＤカード５の情報を必ず視認することができる。裏返しになってＩＤカード５の情報が読めなくなることがない。
【００２０】
カードフォルダ２の表裏両面とも透明シートで構成された場合も同様である。ＩＤカード５の記載面が表面側に現れるようにしてカードフォルダ２に収納し、面ファスナー１０でセーター３０に留めれば良い。常時、記載面を見ることができる。
【００２１】
図５に本発明で使用するカードフォルダの別な形態を示す。図５（ａ）はネックストラップ４１をカードフォルダに連結した状態を示す正面図、図５（ｂ）はそのｂ−ｂ線断面図である。これらの図に示すように、このネックストラップ４１はループ状に形成する前の紐３をカードフォルダ２の長孔２６に通した後、カードフォルダ２の近接位置でカシメたものである。紐３の端部はもう一端と結び、所望サイズのループを作る。そして、カシメ部３４には面ファスナー１０のフック片１１を取付けておく。または、カードフォルダ２の近接位置であればフック片１１を紐３に直接付けても良い。
【００２２】
図５のカードフォルダ用ネックストラップ４１も、図２に示したネックストラップ１と同様な作用効果が得られる。
【００２３】
なお、カードフォルダ２をニット製品以外の衣類にも留めたい場合は、カードフォルダ用ネックストラップ１や４１にクリップやピン（不図示）を取付け、面ファスナー１０と併用しても構わない。カードフォルダ用ネックストラップ１に設けたクリップを介して面ファスナー１０のフック片１１を取り付けても良い。前記の構成を採ることにより、ポケットのある衣服や前開きの衣類の着用時にはクリップを用いてストラップを留め、ニットセーターのようなクリップが使用できない衣類の着用時は面ファスナーを用いて留めれば便利である。
【００２４】
このように、本発明のカードフォルダ用ネックストラップの使用方法によれば、首から提げたネックストラップに面ファスナーのフック片を取り付けたことで、そのフックを利用してセーターのようなニット製品に留めることができる。体の前面にポケットや合わせ目が無い衣類であっても、ニット製品であれば編み目を利用して留めることができる。ストラップのうちカードフォルダフォルダに近い部位を衣類に留めることにより、カードフォルダが体から離れることがない。また、ぶらぶらしないことにより安全性が向上する他、様々な作業の妨げになることもない。手洗いの際に前傾姿勢ととっても着衣に固定されていることでＩＤカードを濡らしてしまう心配もなくなる。さらに、ネックストラップに外力が加わった場合には、軽い力で面ファスナーのフックが衣類から外れるため、衣類に孔があく等の損傷も回避される。カードフォルダを落として紛失するリスクも低減される。
【符号の説明】
【００２５】
１  カードフォルダ用ネックストラップ
２  カードフォルダ
３  紐
３ａ  先端部
３ｂ  カシメ部
４  結び目
５  ＩＤカード
１０  面ファスナー
１１  フック
２１  透明樹脂シート
２２  不透明樹脂シート
２３  カード収納部
２４  開口部
２５  延長部分
２６  長孔
３０  セーター
３０ａ  繊維
３１  首
３４  カシメ部
４１  カードフォルダ用ネックストラップ
【図１】
0005572083.tif 000002
【図２】
0005572083.tif 000003
【図３】
0005572083.tif 000004
【図４】
0005572083.tif 000005
【図５】
0005572083.tif 000006